(57)【要約】      （修正有）【課題】弾性に富み、簡単に割れないネイル用装飾品を提供する。【解決手段】液体の専用樹脂２０を受け具（又は型６０の型抜き穴６１）に滴下し、熱源により加熱することにより、固体の立体装飾品に変化させて、ネイル用装飾品を構成する。また、専用樹脂２０の主な成分は、ポリ塩化ビニルペースト樹脂（ＰＶＣ  Ｐａｓｔｅ  Ｒｅｓｉｎ）とする。これにより、弾性を備え、簡単に割れず、使用者の手の爪又はつけ爪の表面に沿って湾曲して付着させることができる。【選択図】図４
0003166632.tif 000002
【実用新案登録請求の範囲】
【請求項１】
液体の専用樹脂を受け具に滴下し、熱源により加熱することにより、固体の立体装飾品に変化して構成されるネイル用装飾品であって、
前記専用樹脂の主な成分は、ポリ塩化ビニルペースト樹脂（PVC  Paste  Resin）であることを特徴とする、ネイル用装飾品。
【請求項２】
前記専用樹脂は、少量の安定剤と促進剤を含むことを特徴とする、請求項１に記載のネイル用装飾品。
【請求項３】
前記受け具は、板材、型、又は紙の何れか一つの物品からなることを特徴とする、請求項１に記載のネイル用装飾品。
【請求項４】
前記型は、表面に少なくとも一つの型抜き穴が凹設され、前記型抜き穴に前記専用樹脂を充満するまで注入することを特徴とする、請求項３に記載のネイル用装飾品。
【請求項５】
前記熱源は、オーブン又はドライヤーからなることを特徴とする、請求項１に記載のネイル用装飾品。
【考案の詳細な説明】
【技術分野】
【０００１】
本考案はネイルアートの成形技術に係り、特に専用樹脂を加熱により固化して成形されるネイル用装飾品に関する。
【背景技術】
【０００２】
おしゃれな女性はファッションに熱中して、服装、靴、ブーツあるいはバッグをコーディネートするほかに、爪を装飾することを重視し、これにより、全体のファッションの総仕上げの効果を生んで、美感を加えることができる。
【０００３】
特に、爪にマニキュアを塗るだけではなく、ここ数年来、ネイルアートの技術は広く普及しつつあり、より活発で明るい若さを表現することができて、広く女性の好感を得る風潮にある。
【０００４】
現在のネイルアートの技術では主に爪、つけ爪の表面に装飾品を貼ることにより、装飾品の模様あるいは色彩を通して装飾効果を生む。従来の装飾品の大部分は以下の２種類である。
【０００５】
＜アクリル装飾品＞
溶剤を利用してアクリルの粉を溶かして混ぜた液体を合成して、型の穴に滴下し、指あるいは補助用具を介して充満した型の穴を平らに塗って、乾燥させることによって、型の穴の形状に合う装飾品を仕上げる。この種類のアクリル装飾品は次のような欠点がある。
１．溶剤によってアクリルの粉が溶ける時、独特の臭気を生むこと。
２．アクリル装飾品は、材質が硬く脆弱であり、爪の表面に沿って湾曲することができず、爪の表面に完全に付着することができないため、自然にはげ落ちやすいこと。また、仮にアクリル装飾品を折り曲げると、割れやすいため、使用できなくなること。
【０００６】
＜ゲル装飾品＞
ゲルを型の穴に充満するまで注入した後、ＵＶ光線を一定時間照射することにより、化学反応で固体状態になった装飾品を形成して、更に型の穴から取り出す。この種類の装飾品は以下のような欠点がある。
１．ゲルの主要な成分はポリウレタン・アクリレート・オリゴマー（Polyurethane  Acrylate  Oligomer）、ヒドロキシプロピル・メタクリル樹脂（Hydroxypropyl  Methacrylate）であるため、皮膚に貼り付くと、除去しにくいこと。
２．専用ペンを使ってゲルに着色しなければならず、型の穴を充満した後に、専用器材であるＵＶ照明装置を使ってＵＶ光線を照射する必要があるため、操作がかなり不便で、しかも専用器材がスーパーマーケットや街の金物店では珍しく、普通の消費者がＵＶ照明装置を購入するのが比較的困難になること。
【考案の概要】
【考案が解決しようとする課題】
【０００７】
本考案の主な目的は、上記欠点を解消するものであり、加熱した後は水に溶けない専用樹脂を採用することにより、たとえくっついても簡単に除去でき、随所で入手できる熱源を介して加熱固形化されて形成される、弾性に富み、簡単に割れないネイル用装飾品を提供することにある。これにより、爪の表面に沿って湾曲して付着して、ネイルアートを完成させる。
【課題を解決するための手段】
【０００８】
上記課題を解決するために、本考案の請求項１のネイル用装飾品は、液体の専用樹脂を受け具に滴下し、熱源により加熱することにより、固体の立体装飾品に変化して構成されるネイル用装飾品であって、前記専用樹脂の主な成分は、ポリ塩化ビニルペースト樹脂（PVC  Paste  Resin）であることを特徴とする。
【０００９】
請求項２のネイル用装飾品は、請求項１において、前記専用樹脂は、少量の安定剤と促進剤を含むことを特徴とする。すなわち、少量の安定剤と促進剤を加えて、液体状に混合した前記専用樹脂を受け具に滴下する。これにより、たとえ肌や皮膚に付いても、簡単に拭くことができ、加熱中の臭いを防ぐことができる。
【００１０】
請求項３のネイル用装飾品は、請求項１において、前記受け具は、板材、型、又は紙の何れか一つの物品からなることを特徴とする。
【００１１】
請求項４のネイル用装飾品は、請求項３において、前記型は、表面に少なくとも一つの型抜き穴が凹設され、前記型抜き穴に前記専用樹脂を充満するまで注入することを特徴とする。
【００１２】
請求項５のネイル用装飾品は、請求項１において、前記熱源は、オーブン又はドライヤーからなることを特徴とする、請求項１に記載のネイル用装飾品。ここでいう熱源は、太陽の熱エネルギーを含んでもよいし、火炎の熱エネルギーであってもよい。但し、加熱時間については、温度の差異に応じて異なる。
【考案の効果】
【００１３】
本考案のネイル用装飾品によれば、弾性に富み、簡単に割れず、使用者の手の爪又はつけ爪の表面に沿って湾曲して付着することができる。
【図面の簡単な説明】
【００１４】
【図１】本考案の好適な実施例１を示すものであって、専用樹脂を板材上に滴下して造形を施す場合を示す斜視図である。
【図２】板材の上面にある専用樹脂をドライヤーにより加熱する場合を示す斜視図である。
【図３】加熱固形化されたネイル装飾品を板材から取り外す場合を示す斜視図である。
【図４】本考案の好適な実施例２を示すものであって、専用樹脂を型抜き穴に滴下して平らに仕上げる場合を示す斜視図である。
【図５】型と専用樹脂を一緒にオーブンへ入れて加熱する場合を示す斜視図である。
【考案を実施するための形態】
【００１５】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【実施例１】
【００１６】
図１乃至図３を参照されたい。板材１０の上面に少量の専用樹脂２０を滴下し、塊や集合体になるように補助用具３０ではじく。ドライヤー４０の加熱によって、固体状態の立体造型のネイル用装飾品５０を形成する。
【００１７】
専用樹脂２０の主要な成分は、ポリ塩化ビニルペースト樹脂（PVC  Paste  Resin、ＰＶＣがＰｏｌｙｖｉｎｙｌｃｈｌｏｒｉｄｅの略称である。）である。さらに少量の安定剤と促進剤を加えて、均一に混合して液体の樹脂を合成する。絵筆あるいはブラシなどの補助用具３０のブラシ部に付着しても、簡単に拭くことができる。加熱中、専用樹脂２０は臭気を発生させず、固体状態の立体造型のネイル用装飾品５０を成形した後に、板材１０から取り外すことができる。
【００１８】
ネイル用装飾品５０自体は弾性を備えるため、湾曲することができ、割れにくく、爪の表面に沿って貼り付けることができ、はげ落ちることがない。ここでいう爪は、自然爪に限ることなく、つけ爪をも含む。
【００１９】
以上のように、普通の使用者は本実施例の専用樹脂２０を採用して、必要なネイルアート やネイルデザインを作り、ドライヤー４０を取り出して熱源として、加熱を経て具体的なネイル用装飾品５０を形成することができる。また、加熱固形化中、臭気を出さず、爪に色彩を塗る作業もかなり楽になり、熱源の確保もより便利で、しかも専用器材探しに悩むことはない。
【実施例２】
【００２０】
図４と図５に示すように、型６０は板材に代わって受け具として使用することができる。型６０の表面に複数の型抜き穴６１が凹設される。型抜き穴６１内に少量の専用樹脂２０２を充満するまで滴下するとともに、指７０で平らに仕上げる。なお、この際に、専用樹脂２０が手にくっつくことはない。
【００２１】
それ以外に、オーブン８０はドライヤーに代わって熱源として使用することができる。型６０と専用樹脂２０とをオーブン８０内に一緒に入れて、一定時間加熱した後に、型抜き穴６１の形状に合うネイル用装飾品を形成する。さらに柔軟性を有する型６０を湾曲させてネイル用装飾品を取り出す。
【００２２】
上述する実施例は、この考案の好ましい実施の形態であって、この考案の実施の範囲を限定するものではない。したがって、当業者のなし得る修正、もしくは変更であって、この考案の精神の下においてなされ、この考案に対して均等の効果を有するものは、いずれもこの考案の登録請求の範囲に含まれるものとする。
【符号の説明】
【００２３】
１０      板材（受け具）
２０      専用樹脂
３０      補助用具
４０      ドライヤー（熱源）
５０      ネイル用装飾品
６０      型
６１      型抜き穴
７０      指
８０      オーブン（熱源）
【図１】
0003166632.tif 000003
【図２】
0003166632.tif 000004
【図３】
0003166632.tif 000005
【図４】
0003166632.tif 000006
【図５】
0003166632.tif 000007
【手続補正書】
【提出日】平成22年12月26日(2010.12.26)
【手続補正１】
【補正対象書類名】実用新案登録請求の範囲
【補正対象項目名】全文
【補正方法】変更
【補正の内容】
【実用新案登録請求の範囲】
【請求項１】
液体の専用樹脂を受け具に滴下し、熱源により加熱することにより、固体の立体装飾品に変化して構成されるネイル用装飾品であって、
前記ネイル用装飾品は、弾性に富み、爪又はつけ爪の表面に沿って湾曲して貼着することができるように形成され、
前記専用樹脂の主な成分は、ポリ塩化ビニルペースト樹脂（PVC  Paste  Resin）であることを特徴とする、ネイル用装飾品。
【請求項２】
前記専用樹脂は、少量の安定剤と促進剤を含むことを特徴とする、請求項１に記載のネイル用装飾品。
【請求項３】
前記受け具は、板材、型、又は紙の何れか一つの物品からなることを特徴とする、請求項１に記載のネイル用装飾品。
【請求項４】
前記型は、表面に少なくとも一つの型抜き穴が凹設され、前記型抜き穴に前記専用樹脂を充満するまで注入することを特徴とする、請求項３に記載のネイル用装飾品。
【請求項５】
前記熱源は、オーブン又はドライヤーからなることを特徴とする、請求項１に記載のネイル用装飾品。
【手続補正２】
【補正対象書類名】明細書
【補正対象項目名】０００８
【補正方法】変更
【補正の内容】
【０００８】
上記課題を解決するために、本考案の請求項１のネイル用装飾品は、液体の専用樹脂を受け具に滴下し、熱源により加熱することにより、固体の立体装飾品に変化して構成されるネイル用装飾品であって、前記ネイル用装飾品は、弾性に富み、爪又はつけ爪の表面に沿って湾曲して貼着することができるように形成され、前記専用樹脂の主な成分は、ポリ塩化ビニルペースト樹脂（PVC  Paste  Resin）であることを特徴とする。